(57)【要約】【課題】印刷システム及び印刷方法において、印刷精度を向上すると共に作業効率の向上を図る。【解決手段】ブランケット胴１５ａ，１５ｂ，１５ｃ，１５ｄに隣接して塗工装置１６ａ，１６ｂ，１６ｃ，１６ｄを配置し、版１１ａ，１１ｂ，１１ｃ，１１ｄが載置される版定盤１２ａ，１２ｂ，１２ｃ，１２ｄを版台車１８に搭載し、ガラス基板１３が載置される印刷定盤１４を印刷台車１９に搭載し、印刷定盤１４のガラス基板１３を交換するガラス基板搬送装置３１を設け、制御装置２０は、ブランケット胴１５ａ，１５ｂ，１５ｃ，１５ｄから印刷定盤１４上のガラス基板１３への絵柄転写工程の完了後、塗工装置１６ａ，１６ｂ，１６ｃ，１６ｄによる次の樹脂塗工工程を実行する間、ガラス基板搬送装置３１によるガラス基板交換工程を実行せずに待機状態に制御する。【選択図】      図１
2009083418.tif 000002
【特許請求の範囲】
【請求項１】
版が所定位置に載置される版定盤と、
被印刷物が所定位置に載置される印刷定盤と、
回転自在に支持されて前記版との間での印刷液の転移が可能であると共に前記被印刷物との間で絵柄の転写が可能なブランケット胴と、
前記ブランケット胴の表面に所定の印刷液を塗工する塗工手段と、
前記版定盤及び前記印刷定盤と前記ブランケット胴とを接近離反させる移動手段と、
前記塗工手段と前記移動手段の作動を制御する制御手段とを具えた印刷装置において、
前記印刷定盤に対する前記被印刷物の交換を行う被印刷物交換手段が設けられ、前記制御手段は、前記塗工手段の非作動時に前記被印刷物交換手段を作動する第１モードと、前記塗工手段の作動時に前記被印刷物交換手段を振動の影響を低下させて作動する第２モードとに切換可能であることを特徴とする印刷システム。
【請求項２】
前記制御手段は、前記移動手段により前記印刷定盤と前記ブランケット胴とを接近離反させて前記ブランケット胴から前記被印刷物への絵柄転写工程が完了されると、前記塗工手段による次の印刷液塗工工程を実行する間、前記第２モードに切換えることを特徴とする請求項１に記載の印刷システム。
【請求項３】
前記制御手段は、前記塗工手段による前記ブランケット胴への印刷液塗工工程と、前記移動手段により前記版定盤と前記ブランケット胴とを接近離反させて前記ブランケット胴から前記版への印刷液転移工程と、前記移動手段により前記印刷定盤と前記ブランケット胴とを接近離反させて前記ブランケット胴から前記被印刷物への絵柄転写工程と、前記被印刷物交換手段による被印刷物交換工程とが順に実行されるように制御可能であり、前記絵柄転写工程が完了されると、次の前記印刷液塗工工程を実行する間、前記第２モードに切換え、前記印刷液塗工工程の完了後に前記被印刷物交換工程を実行することを特徴とする請求項２に記載の印刷システム。
【請求項４】
前記被印刷物交換手段は、前記印刷定盤に載置されて前記絵柄転写工程が完了した前記被印刷物と新たな前記被印刷物とを交換する被印刷物交換工程と、前記絵柄転写工程が完了した前記被印刷物を所定の排出位置に搬送する被印刷物排出工程と、新たな前記被印刷物を保持して前記被印刷物交換工程を実行可能な準備位置に待機する被印刷物準備工程とを実行可能であり、前記制御手段は、前記印刷液塗工工程の完了後に前記被印刷物交換工程と前記被印刷物排出工程と前記被印刷物準備工程を順次実行すると共に、前記印刷液転移工程と前記絵柄転写工程を順次実行し、次の前記印刷液塗工工程の実行前に前記被印刷物準備工程を完了させることを特徴とする請求項２または３に記載の印刷システム。
【請求項５】
前記ブランケット胴から前記版に転移された印刷液を洗浄する版洗浄手段を設け、前記制御手段は、前記印刷液転移工程の完了後に前記版洗浄手段による印刷液洗浄工程を実行し、前記絵柄転写工程の完了後、前記塗工手段による次の印刷液塗工工程を実行するとき、前記印刷液洗浄工程を継続することを特徴とする請求項２から４のいずれか一つに記載の印刷システム。
【請求項６】
前記移動手段は、軌道と、前記版定盤を搭載して前記軌道に沿って移動自在な版台車と、前記印刷定盤を搭載して前記軌道に沿って移動自在な印刷台車とを有し、前記制御手段は、前記版台車を、前記版定盤が前記ブランケット胴から離間した待機位置と、前記版定盤が前記ブランケット胴に対向して前記印刷液転移工程を実行する印刷液転移位置とに移動可能であると共に、前記印刷台車を、前記印刷定盤が前記ブランケット胴から離間した待機位置と、前記印刷定盤が前記ブランケット胴に対向して前記絵柄転写工程を実行する絵柄転写位置とに移動可能であることを特徴とする請求項２から５のいずれか一つに記載の印刷システム。
【請求項７】
前記第２モードは、前記被印刷物交換手段の待機状態または低速作動状態であることを特徴とする請求項１から６のいずれか一つに記載の印刷システム。
【請求項８】
版が所定位置に載置される版定盤と、
被印刷物が所定位置に載置される印刷定盤と、
回転自在に支持されて前記版との間での印刷液の転移が可能であると共に前記被印刷物との間で絵柄の転写が可能なブランケット胴と、
前記ブランケット胴の表面に所定の印刷液を塗工する塗工手段と、
前記版定盤及び前記印刷定盤と前記ブランケット胴とを接近離反させる移動手段と、
前記塗工手段と前記移動手段の作動を制御する制御手段とを具えた印刷装置において、
前記印刷装置はクリーンルーム内に収容され、該クレーンルーム内の空気の換気及び浄化を行う空気清浄手段が設けられ、前記制御手段は、前記塗工手段の非作動時に前記空気清浄手段を作動する第１モードと、前記塗工手段の作動時に前記空気清浄手段を振動の影響を低下させて作動する第２モードとに切換可能であることを特徴とする印刷システム。
【請求項９】
前記空気清浄手段は、前記クリーンルーム内の空気を循環する送風ファンを有し、前記制御手段は、前記移動手段により前記印刷定盤と前記ブランケット胴とを接近離反させて前記ブランケット胴から前記被印刷物への絵柄転写工程が完了されると、前記塗工手段による次の印刷液塗工工程を実行する間、前記第２モードに切換えることを特徴とする請求項８に記載の印刷システム。
【請求項１０】
前記第２モードは、前記空気清浄手段の停止状態または低回転状態であることを特徴とする請求項８または９に記載の印刷システム。
【請求項１１】
回転可能なブランケット胴の表面へ所定の印刷液を塗工し、前記ブランケット胴の表面に塗工された印刷液を版定盤に載置された版に転移し、前記ブランケット胴の表面に残存する印刷液の絵柄を印刷定盤に載置された被印刷物に転写する印刷方法において、前記ブランケット胴へ印刷液を塗工する間、前記印刷定盤に対する前記被印刷物の交換を振動の影響を低下させて実行することを特徴とする印刷方法。
【請求項１２】
前記ブランケット胴から前記被印刷物に絵柄を転写した後、前記ブランケット胴へ印刷液を塗工してから、前記印刷定盤に対して絵柄が転写された被印刷物と新たな被印刷物とを交換することを特徴とする請求項１１に記載の印刷方法。
【請求項１３】
クリーンルーム内にて、回転可能なブランケット胴の表面へ所定の印刷液を塗工し、前記ブランケット胴の表面に塗工された印刷液を版定盤に載置された版に転移し、前記ブランケット胴の表面に残存する印刷液の絵柄を印刷定盤に載置された被印刷物に転写する印刷方法において、前記ブランケット胴へ印刷液を塗工する間、前記クレーンルーム内の空気の換気及び浄化を振動の影響を低下させて実行することを特徴とする印刷方法。
【発明の詳細な説明】
【技術分野】
【０００１】
本発明は、印刷装置を有する印刷システム及び印刷方法に関するものであり、特に、液晶ディスプレイに使用されるフィルタパターン等を印刷によって形成させる、所謂、精密印刷に使用される印刷システム及び方法に関するものである。
【背景技術】
【０００２】
液晶ディスプレイ（ＬＣＤ）、プラズマディスプレイ（ＰＤＰ）、ＥＬ（Electro Luminescence）ディスプレイ等のフラットパネルディスプレイのパターンを平板状のガラス基板やセラミックス基板に形成する一手法として、下記の印刷方式が提案されている。
【０００３】
特許文献１には、液晶ディスプレイに用いられるカラーフィルタのオフセット印刷装置が開示されている。このオフセット印刷装置は、移送方向に並べられた複数の版を移送する版台車と、各版に対応したブランケットが円周方向に複数設けられたブランケット胴と、ガラス基板を移送する印刷台車とを有している。従って、まず、レール上を移動する版台車をブランケット胴の下方へ移動させ、各版の絵柄（インキ）を、ブランケット胴の円周方向に並べられた各ブランケットに順次転移し、次に、レール上で印刷台車をブランケット胴の下方へ移動し、ブランケット胴の回転に応じて並進しながら基板がブランケットから絵柄を受け取る。
【０００４】
このような印刷装置では、ブランケットへのインキ塗工工程と、ブランケットから版への版転移工程と、ブランケットからガラス基板への絵柄転写工程を連続して実行することで、ガラス基板への印刷を行い、その後、印刷台車から印刷済のガラス基板を取外す一方、印刷台車に新たなガラス基板を載置している。
【０００５】
【特許文献１】特開平５−１６９６２６号公報
【発明の開示】
【発明が解決しようとする課題】
【０００６】
上述した従来の印刷装置では、上述したように、ブランケットの絵柄（インキ）をガラス基板へ転写した後に、印刷台車から印刷済のガラス基板を取外す一方、印刷台車に新たなガラス基板を載置し、再び、ブランケットへインキを塗工し、ブランケットのインキを版へ転移し、ブランケットの絵柄をガラス基板へ転写する印刷作業を連続して行っている。
【０００７】
この場合、ブランケットの絵柄をガラス基板へ転写した後、印刷台車のガラス基板を交換する交換作業と、ブランケットへインキを塗工する塗工作業を並行して行っている。そのため、ガラス基板の交換作業動作に伴って発生する振動が、ブランケットへインキを塗工する塗工作業に伝わり、ブランケットに塗工されるインキの膜厚が変動し、印刷ムラが発生して印刷精度が低下してしまうという問題がある。
【０００８】
本発明は、この問題を解決するものであり、印刷精度を向上すると共に作業効率の向上を図った印刷システム及び印刷方法を提供することを目的とする。
【課題を解決するための手段】
【０００９】
上記の目的を達成するための請求項１の発明の印刷システムは、版が所定位置に載置される版定盤と、被印刷物が所定位置に載置される印刷定盤と、回転自在に支持されて前記版との間での印刷液の転移が可能であると共に前記被印刷物との間で絵柄の転写が可能なブランケット胴と、前記ブランケット胴の表面に所定の印刷液を塗工する塗工手段と、前記版定盤及び前記印刷定盤と前記ブランケット胴とを接近離反させる移動手段と、前記塗工手段と前記移動手段の作動を制御する制御手段とを具えた印刷装置において、前記印刷定盤に対する前記被印刷物の交換を行う被印刷物交換手段が設けられ、前記制御手段は、前記塗工手段の非作動時に前記被印刷物交換手段を作動する第１モードと、前記塗工手段の作動時に前記被印刷物交換手段を振動の影響を低下させて作動する第２モードとに切換可能であることを特徴とするものである。
【００１０】
請求項２の発明の印刷システムでは、前記制御手段は、前記移動手段により前記印刷定盤と前記ブランケット胴とを接近離反させて前記ブランケット胴から前記被印刷物への絵柄転写工程が完了されると、前記塗工手段による次の印刷液塗工工程を実行する間、前記第２モードに切換えることを特徴としている。
【００１１】
請求項３の発明の印刷システムでは、前記制御手段は、前記塗工手段による前記ブランケット胴への印刷液塗工工程と、前記移動手段により前記版定盤と前記ブランケット胴とを接近離反させて前記ブランケット胴から前記版への印刷液転移工程と、前記移動手段により前記印刷定盤と前記ブランケット胴とを接近離反させて前記ブランケット胴から前記被印刷物への絵柄転写工程と、前記被印刷物交換手段による被印刷物交換工程とが順に実行されるように制御可能であり、前記絵柄転写工程が完了されると、次の前記印刷液塗工工程を実行する間、前記第２モードに切換え、前記印刷液塗工工程の完了後に前記被印刷物交換工程を実行することを特徴としている。
【００１２】
請求項４の発明の印刷システムでは、前記被印刷物交換手段は、前記印刷定盤に載置されて前記絵柄転写工程が完了した前記被印刷物と新たな前記被印刷物とを交換する被印刷物交換工程と、前記絵柄転写工程が完了した前記被印刷物を所定の排出位置に搬送する被印刷物排出工程と、新たな前記被印刷物を保持して前記被印刷物交換工程を実行可能な準備位置に待機する被印刷物準備工程とを実行可能であり、前記制御手段は、前記印刷液塗工工程の完了後に前記被印刷物交換工程と前記被印刷物排出工程と前記被印刷物準備工程を順次実行すると共に、前記印刷液転移工程と前記絵柄転写工程を順次実行し、次の前記印刷液塗工工程の実行前に前記被印刷物準備工程を完了させることを特徴としている。
【００１３】
請求項５の発明の印刷システムでは、前記ブランケット胴から前記版に転移された印刷液を洗浄する版洗浄手段を設け、前記制御手段は、前記印刷液転移工程の完了後に前記版洗浄手段による印刷液洗浄工程を実行し、前記絵柄転写工程の完了後、前記塗工手段による次の印刷液塗工工程を実行するとき、前記印刷液洗浄工程を継続することを特徴としている。
【００１４】
請求項６の発明の印刷システムでは、前記移動手段は、軌道と、前記版定盤を搭載して前記軌道に沿って移動自在な版台車と、前記印刷定盤を搭載して前記軌道に沿って移動自在な印刷台車とを有し、前記制御手段は、前記版台車を、前記版定盤が前記ブランケット胴から離間した待機位置と、前記版定盤が前記ブランケット胴に対向して前記印刷液転移工程を実行する印刷液転移位置とに移動可能であると共に、前記印刷台車を、前記印刷定盤が前記ブランケット胴から離間した待機位置と、前記印刷定盤が前記ブランケット胴に対向して前記絵柄転写工程を実行する絵柄転写位置とに移動可能であることを特徴としている。
【００１５】
請求項７の発明の印刷システムでは、前記第２モードは、前記被印刷物交換手段の待機状態または低速作動状態であることを特徴としている。
【００１６】
請求項８の発明の印刷システムは、版が所定位置に載置される版定盤と、被印刷物が所定位置に載置される印刷定盤と、回転自在に支持されて前記版との間での印刷液の転移が可能であると共に前記被印刷物との間で絵柄の転写が可能なブランケット胴と、前記ブランケット胴の表面に所定の印刷液を塗工する塗工手段と、前記版定盤及び前記印刷定盤と前記ブランケット胴とを接近離反させる移動手段と、前記塗工手段と前記移動手段の作動を制御する制御手段とを具えた印刷装置において、前記印刷装置はクリーンルーム内に収容され、該クレーンルーム内の空気の換気及び浄化を行う空気清浄手段が設けられ、前記制御手段は、前記塗工手段の非作動時に前記空気清浄手段を作動する第１モードと、前記塗工手段の作動時に前記空気清浄手段を振動の影響を低下させて作動する第２モードとに切換可能であることを特徴とするものである。
【００１７】
請求項９の発明の印刷システムでは、前記空気清浄手段は、前記クリーンルーム内の空気を循環する送風ファンを有し、前記制御手段は、前記移動手段により前記印刷定盤と前記ブランケット胴とを接近離反させて前記ブランケット胴から前記被印刷物への絵柄転写工程が完了されると、前記塗工手段による次の印刷液塗工工程を実行する間、前記第２モードに切換えることを特徴としている。
【００１８】
請求項１０の発明の印刷システムでは、前記第２モードは、前記空気清浄手段の停止状態または低回転状態であることを特徴としている。
【００１９】
請求項１１の発明の印刷方法は、回転可能なブランケット胴の表面へ所定の印刷液を塗工し、前記ブランケット胴の表面に塗工された印刷液を版定盤に載置された版に転移し、前記ブランケット胴の表面に残存する印刷液の絵柄を印刷定盤に載置された被印刷物に転写する印刷方法において、前記ブランケット胴へ印刷液を塗工する間、前記印刷定盤に対する前記被印刷物の交換を振動の影響を低下させて実行することを特徴とするものである。
【００２０】
請求項１２の発明の印刷方法では、前記ブランケット胴から前記被印刷物に絵柄を転写した後、前記ブランケット胴へ印刷液を塗工してから、前記印刷定盤に対して絵柄が転写された被印刷物と新たな被印刷物とを交換することを特徴としている。
【００２１】
請求項１３の発明の印刷方法は、クリーンルーム内にて、回転可能なブランケット胴の表面へ所定の印刷液を塗工し、前記ブランケット胴の表面に塗工された印刷液を版定盤に載置された版に転移し、前記ブランケット胴の表面に残存する印刷液の絵柄を印刷定盤に載置された被印刷物に転写する印刷方法において、前記ブランケット胴へ印刷液を塗工する間、前記クレーンルーム内の空気の換気及び浄化を振動の影響を低下させて実行することを特徴とするものである。
【発明の効果】
【００２２】
請求項１の発明の印刷システムによれば、版が所定位置に載置される版定盤と、被印刷物が所定位置に載置される印刷定盤と、回転自在に支持されて版との間での印刷液の転移が可能であると共に被印刷物との間で絵柄の転写が可能なブランケット胴と、ブランケット胴の表面に所定の印刷液を塗工する塗工手段と、版定盤及び印刷定盤とブランケット胴とを接近離反させる移動手段とを設けると共に、塗工手段と移動手段の作動を制御する制御手段を設けて印刷装置を構成し、印刷定盤に対する被印刷物の交換を行う被印刷物交換手段を設け、制御手段は、塗工手段の非作動時に被印刷物交換手段を作動する第１モードと、塗工手段の作動時に被印刷物交換手段を振動の影響を低下させて作動する第２モードとに切換可能としている。従って、塗工手段によりブランケット胴に対して印刷液を塗工する作業時に、制御手段は、第２モードに切換えて被印刷物交換手段を振動の影響を低下させて作動するため、被印刷物交換作業時に塗工手段やブランケット胴に伝わる振動が抑制され、塗工手段は、ブランケット胴の表面に対して均一な膜厚の印刷液を塗工することができ、印刷精度を向上することができる。
【００２３】
請求項２の発明の印刷システムによれば、制御手段は、移動手段により印刷定盤とブランケット胴とを接近離反させてブランケット胴から被印刷物への絵柄転写工程が完了されると、塗工手段による次の印刷液塗工工程を実行する間、第２モードに切換えるので、塗工手段によりブランケット胴に対して次の印刷液を塗工する作業中に、被印刷物交換手段の振動が低下されるため、被印刷物交換作業時に塗工手段やブランケット胴に伝わる振動が抑制され、塗工手段は、ブランケット胴の表面に対して均一な膜厚の印刷液を塗工することができる。
【００２４】
請求項３の発明の印刷システムによれば、制御手段は、塗工手段によるブランケット胴への印刷液塗工工程と、移動手段により版定盤とブランケット胴とを接近離反させてブランケット胴から版への印刷液転移工程と、移動手段により印刷定盤とブランケット胴とを接近離反させてブランケット胴から被印刷物への絵柄転写工程と、被印刷物交換手段による被印刷物交換工程とが順に実行されるように制御可能であり、絵柄転写工程の完了後、次の印刷液塗工工程を実行する間、被印刷物交換手段を待機状態とし、印刷液塗工工程の完了後に被印刷物交換工程を実行するので、次の印刷液塗工工程を実行するまで被印刷物交換手段を待機状態とするため、被印刷物交換作業時に塗工手段やブランケット胴に伝わる振動が抑制され、ブランケット胴の表面に均一な膜厚の印刷液を塗工することができ、この印刷液塗工工程の完了後に被印刷物交換工程を実行するため、作業効率を向上することができる。
【００２５】
請求項４の発明の印刷システムによれば、被印刷物交換手段は、印刷定盤に載置されて絵柄転写工程が完了した被印刷物と新たな被印刷物とを交換する被印刷物交換工程と、絵柄転写工程が完了した被印刷物を所定の排出位置に搬送する被印刷物排出工程と、新たな被印刷物を保持して被印刷物交換工程を実行可能な準備位置に待機する被印刷物準備工程とを実行可能であり、制御手段は、印刷液塗工工程の完了後に被印刷物交換工程と被印刷物排出工程と被印刷物準備工程を順次実行すると共に、印刷液転移工程と絵柄転写工程を順次実行し、次の前記印刷液塗工工程の実行前に被印刷物準備工程を完了させるので、被印刷物交換工程、被印刷物排出工程、被印刷物準備工程と、印刷液転移工程、絵柄転写工程を同期して実行すると共に、次の塗工工程の実行前に被印刷物準備工程を完了させるため、作業時間を短縮して作業効率を向上することができる。
【００２６】
請求項５の発明の印刷システムによれば、ブランケット胴から版に転移された印刷液を洗浄する版洗浄手段を設け、制御手段は、印刷液転移工程の完了後に版洗浄手段による印刷液洗浄工程を実行し、絵柄転写工程の完了後、塗工手段による次の印刷液塗工工程を実行するとき、印刷液洗浄工程を継続するので、版洗浄手段によりブランケット胴から版に転移された印刷液の洗浄時間が長くなり、ブランケット胴の表面により均一な膜厚の印刷液を塗工することができ、印刷液塗工工程と印刷液洗浄工程を同時期に実行することで印刷作業時間を短縮することができる。
【００２７】
請求項６の発明の印刷システムによれば、移動手段として、軌道と、版定盤を搭載して軌道に沿って移動自在な版台車と、印刷定盤を搭載して軌道に沿って移動自在な印刷台車とを設け、制御手段は、版台車を版定盤がブランケット胴から離間した待機位置と版定盤がブランケット胴に対向して印刷液転移工程を実行する印刷液転移位置とに移動可能とすると共に、印刷台車を印刷定盤がブランケット胴から離間した待機位置と印刷定盤がブランケット胴に対向して絵柄転写工程を実行する絵柄転写位置とに移動可能とするので、ブランケット胴に対して版定盤と印刷定盤を接近離反自在とすることで、印刷液転移工程と絵柄転写工程を簡単な構成で容易に実行することができ、装置の簡素化及び印刷作業効率の向上を可能とすることができる。
【００２８】
請求項７の発明の印刷システムによれば、第２モードを被印刷物交換手段の待機状態または低速作動状態とするので、塗工手段やブランケット胴に伝わる振動を低減し、ブランケット胴の表面に対して均一な膜厚の印刷液を塗工することができる。
【００２９】
請求項８の発明の印刷システムによれば、版が所定位置に載置される版定盤と、被印刷物が所定位置に載置される印刷定盤と、回転自在に支持されて版との間での印刷液の転移が可能であると共に被印刷物との間で絵柄の転写が可能なブランケット胴と、ブランケット胴の表面に所定の印刷液を塗工する塗工手段と、版定盤及び印刷定盤とブランケット胴とを接近離反させる移動手段とを設けると共に、塗工手段と移動手段の作動を制御する制御手段を設けて印刷装置を構成し、印刷装置をクリーンルーム内に収容し、このクレーンルーム内の空気の換気及び浄化を行う空気清浄手段を設け、制御手段は、塗工手段の非作動時に空気清浄手段を作動する第１モードと、塗工手段の作動時に空気清浄手段を振動の影響を低下させて作動する第２モードとに切換可能としている。従って、塗工手段によりブランケット胴に対して印刷液を塗工する作業時に、制御手段は、第２モードに切換えて空気清浄手段の振動の影響を低下させるため、空気清浄手段から塗工手段やブランケット胴に伝わる振動が抑制され、塗工手段は、ブランケット胴の表面に対して均一な膜厚の印刷液を塗工することができ、印刷精度を向上することができる。
【００３０】
請求項９の発明の印刷システムによれば、空気清浄手段は、クリーンルーム内の空気を循環する送風ファンを有し、制御手段は、移動手段により印刷定盤とブランケット胴とを接近離反させてブランケット胴から被印刷物への絵柄転写工程が完了されると、塗工手段による次の印刷液塗工工程を実行する間、第２モードに切換えるので、塗工手段によりブランケット胴に対して次の印刷液を塗工する作業中に、第２モードに切換えて空気清浄手段の振動の影響を低下させるため、送風ファンから塗工手段やブランケット胴に伝わる振動が抑制され、塗工手段は、ブランケット胴の表面に対して均一な膜厚の印刷液を塗工することができる。
【００３１】
請求項１０の発明の印刷システムによれば、第２モードを空気清浄手段の停止状態または低回転状態とするので、塗工手段やブランケット胴に伝わる振動を低減し、ブランケット胴の表面に対して均一な膜厚の印刷液を塗工することができる。
【００３２】
請求項１１の発明の印刷方法によれば、回転可能なブランケット胴の表面へ所定の印刷液を塗工し、ブランケット胴の表面に塗工された印刷液を版定盤に載置された版に転移し、ブランケット胴の表面に残存する印刷液の絵柄を印刷定盤に載置された被印刷物に転写する場合、ブランケット胴へ印刷液を塗工する間、印刷定盤に対する被印刷物の交換を振動の影響を低下させて実行するようにしている。従って、ブランケット胴に対して印刷液を塗工する作業時に、被印刷物の交換時の振動の影響を低下させて実行するため、被印刷物を交換するときに発生する振動が塗工作業に悪影響を与えることはなく、ブランケット胴の表面に対して均一な膜厚の印刷液を塗工することができ、印刷精度を向上することができる。
【００３３】
請求項１２の発明の印刷方法によれば、ブランケット胴から被印刷物に絵柄を転写した後、ブランケット胴へ印刷液を塗工してから、印刷定盤に対して絵柄が転写された被印刷物と新たな被印刷物とを交換するので、ブランケット胴に対して次の印刷液を塗工する作業中に、被印刷物の交換作業が行われないため、被印刷物を交換するときに発生する振動が塗工作業に悪影響を与えることはなく、ブランケット胴の表面に対して均一な膜厚の印刷液を塗工することができる。
【００３４】
請求項１３の発明の印刷方法によれば、クリーンルーム内にて、回転可能なブランケット胴の表面へ所定の印刷液を塗工し、ブランケット胴の表面に塗工された印刷液を版定盤に載置された版に転移し、ブランケット胴の表面に残存する印刷液の絵柄を印刷定盤に載置された被印刷物に転写する場合、ブランケット胴へ印刷液を塗工する間、クレーンルーム内の空気の換気及び浄化を振動の影響を低下させて実行するようにしている。従って、ブランケット胴に対して印刷液を塗工する作業時に、クレーンルーム内の空気の換気及び浄化の振動の影響を低下させて実行するため、空気の換気や浄化を行うときに発生する振動が塗工作業に悪影響を与えることはなく、ブランケット胴の表面に対して均一な膜厚の印刷液を塗工することができ、印刷精度を向上することができる。
【発明を実施するための最良の形態】
【００３５】
以下に、本発明に係る印刷システム及び印刷方法の実施例を図面に基づいて詳細に説明する。なお、この実施例により本発明が限定されるものではない。
【実施例１】
【００３６】
図１は、本発明の実施例１に係る印刷システムを表す概略構成図、図２は、実施例１の印刷システムを表す平面図、図３は、実施例１の印刷装置が収容されたクリーンルームを表す概略図、図４−１及び図４−２は、実施例１の印刷装置における塗工装置を表す概略図、図５−１及び図５−２は、実施例１の印刷装置における印刷定盤を表す概略図、図６は、実施例１の印刷システムにおけるガラス基板交換装置を表す概略図、図７は、実施例１の印刷システムにおける版転写作業を表す概略図、図８は、実施例１の印刷システムにおける印刷作業を表す概略図、図９は、実施例１の印刷システムにおける印刷作業を表すタイムチャートである。
【００３７】
実施例１の印刷システムは、印刷装置がクリーンルーム内に収容され、このクリーンルームに付帯設備が装備されて構成されている。実施例１の印刷システムにおいて、図３に示すように、建屋の床面１０１に対して縦壁１０２及び天井１０３により部屋１０４が構成され、この部屋１０４内に外壁１０５及び内壁１０６によりクリーンルーム１０７が区画されている。そして、このクリーンルーム１０７にて、床面１０１に構築された基礎１０８上に本実施例の印刷装置１０が設置されている。この場合、クリーンルーム１０７の下部に多数の貫通孔が形成さたれ床板１０９が付設されており、クリーンルーム１０７は、外壁１０５と内壁１０６により区画された中間ルーム１１０とこの床板１０９を介して連通している。
【００３８】
部屋１０４の上部には、ダクト１１１が設けられており、外部に配置された空調装置１１２と配管１１３を通して連結されている。また、外壁１０５の天井から水平な支持部材１１４が吊下げられており、この支持部材１１４には、複数の送風ファン１１５，１１６，１１７が吊下げられ、送風ファン１１６，１１７が配管１１８，１１９を通してダクト１１１に連結されている。この送風ファン１１５は、中間ルーム１１０の空気を吸引して図示しないフィルタを通して内壁１０６からクリーンルーム１０７に浄化空気として供給することができる。また、送風ファン１１６，１１７は、空調装置１１２で温度調整され、配管１１３、ダクト１１１、配管１１８，１１８を通して供給された空気を、図示しないフィルタを通して内壁１０６からクリーンルーム１０７に浄化空気として供給することができる。
【００３９】
従って、空調装置１１２は、外部の空気を冷凍機などにより冷却し、冷気として配管１１３を通してダクト１１１に送ると、ダクト１１１の冷気は、配管１１８，１１９を通して送風ファン１１６，１１７に送られ、この送風ファン１１６，１１７は、この冷気を浄化してクリーンルーム１０７に供給する。すると、この冷気は、クリーンルーム１０７内を循環すると共に、床板１０９を貫通して中間ルーム１１０に流れ、送風ファン１１５は、中間ルーム１１０の空気を吸引し、浄化してクリーンルーム１０７に戻す。
【００４０】
この場合、送風ファン１１５，１１６，１１７は、図示しないが、駆動モータと、この駆動モータにより回転するインペラと、フィルタを有しており、この送風ファン１１５，１１６，１１７が空気清浄装置（空気清浄手段）１００として機能する。また、空調装置１１２や冷凍機なども空気清浄装置１００として機能する。
【００４１】
上述した印刷装置１０は、液晶ディスプレイのカラーフィルタを印刷する平台印刷装置である。この印刷装置１０は、図１及び図２に示すように、版１１ａ，１１ｂ，１１ｃ，１１ｄが所定位置に載置される版定盤１２ａ，１２ｂ，１２ｃ，１２ｄと、被印刷物としてのガラス基板１３が所定位置に載置される印刷定盤１４と、回転自在に支持されて版１１ａ，１１ｂ，１１ｃ，１１ｄとの間での印刷液としての樹脂の転移が可能であると共にガラス基板１３との間で絵柄の転写が可能なブランケット胴１５ａ，１５ｂ，１５ｃ，１５ｄと、ブランケット胴１５ａ，１５ｂ，１５ｃ，１５ｄの表面に所定の樹脂を塗工する塗工装置１６ａ，１６ｂ，１６ｃ，１６ｄとを有している。この場合、塗工装置１６ａ，１６ｂ，１６ｃ，１６ｄは、Ｃ（シアン）、Ｍ（マゼンダ）、Ｙ（イエロー）及びＢＬ（ブラック）の４つの異なる色に対応したものとなっている。
【００４２】
また、版定盤１２ａ，１２ｂ，１２ｃ，１２ｄ及び印刷定盤１４とブランケット胴１５ａ，１５ｂ，１５ｃ，１５ｄとを接近離反させる移動手段としての版台車１８及び印刷台車１９が設けられている。この場合、この印刷台車１９によりブランケット胴洗浄装置１７とブランケット胴１５ａ，１５ｂ，１５ｃ，１５ｄとを接近離反可能となっている。
【００４３】
そして、版台車１８により版定盤１２ａ，１２ｂ，１２ｃ，１２ｄとブランケット胴１５ａ，１５ｂ，１５ｃ，１５ｄとを接近離反させることで、このブランケット胴１５ａ，１５ｂ，１５ｃ，１５ｄから版１１ａ，１１ｂ，１１ｃ，１１ｄへ樹脂を転移する樹脂転移動作が可能である。また、印刷台車１９により印刷定盤１４とブランケット胴１５ａ，１５ｂ，１５ｃ，１５ｄとを接近離反させることで、このブランケット胴１５ａ，１５ｂ，１５ｃ，１５ｄからガラス基板１３へ絵柄を転写する絵柄転写動作が可能である。この樹脂転移動作及び絵柄転写動作を制御する制御装置（制御手段）２０が設けられている。
【００４４】
具体的に説明すると、架台２１には、２本のレールからなる軌道２２が敷設されており、この軌道には上述した版台車１８と印刷台車１９が移動自在に支持されている。この版台車１８と印刷台車１９は、図示しないが、内部にリニアモータまたは油圧モータ、電動モータなどから構成される駆動装置を有しており、軌道２２に沿って自走することができる。版台車１８は、上部に版定盤１２ａ，１２ｂ，１２ｃ，１２ｄが搭載されており、軌道２２におけるその長手方向の一端側（図１及び図２にて左端側）が待機位置であり、この待機位置に版洗浄装置２３が配置されている。また、印刷台車１９は、上部に印刷定盤１４が搭載されており、軌道２２におけるその長手方向の他端側（図１及び図２にて右端側）が待機位置である。
【００４５】
そして、ブランケット胴１５ａ，１５ｂ，１５ｃ，１５ｄは、軌道２２におけるその長手方向の中央部に配置されており、このブランケット胴１５ａ，１５ｂ，１５ｃ，１５ｄに隣接して塗工装置１６ａ，１６ｂ，１６ｃ，１６ｄが配置されている。
【００４６】
この塗工装置１６ａ，１６ｂ，１６ｃ，１６ｄは、ほぼ同様の構成となっているため、塗工装置１６ａについて詳細に説明する。この塗工装置１６ａにおいて、図４−１に示すように、ハウジング２４内には、塗工ヘッド２５が収容されており、この塗工ヘッド２５は、先端部のスリットから樹脂を噴出可能となっている。また、塗工ヘッド２５は、図示しない移動機構により図４−１に示す収容位置と図４−２に示す塗工位置とに移動可能となっている。従って、塗工ヘッド２５は、塗工位置にあるとき、回転するブランケット胴１５ａの表面に膜厚の均一な樹脂膜を塗装することができる。
【００４７】
また、待機位置に位置する印刷定盤１４（印刷台車１９）に対して、その側方にガラス基板搬送装置（被印刷物交換手段）３１が配置されている。この場合、印刷定盤１４には、図５−１に示すように、昇降可能な複数のリフターピン２６が設けられており、図示しない駆動機構により昇降可能となっている。従って、図５−２に示すように、ガラス基板１３が載置された状態でリフターピン２６を上昇することで、印刷定盤１４の表面とガラス基板１３との間に隙間を形成することができる。
【００４８】
一方、ガラス基板搬送装置３１は、台車１８，１９が移動自在な軌道２２に対してほぼ直行する方向に沿って付設された軌道３２に沿って自走可能であり、この軌道３２の長手方向の一端側に印刷定盤１４（印刷台車１９）の待機位置が設定されている。そして、この軌道３２の長手方向の他端側にガラス基板供給装置３３とガラス基板排出装置３４が配置されている。このガラス基板搬送装置３１にて、図６に示すように、装置本体３５は、下部に軌道３２に沿って移動自在なガイド部材３６が設けられ、上部に水平旋回可能であると共に昇降可能なヘッド部３７が設けられ、このヘッド部３７に２つの支持アーム３８，３９が装着されている。
【００４９】
従って、ガラス基板搬送装置３１は、軌道３２の長手方向一方側で待機位置にある印刷定盤１４に対向する準備位置と、軌道３２の長手方向他方側でガラス基板供給装置３３及びガラス基板排出装置３４に対向する排出供給位置とに移動することができる。そして、ガラス基板搬送装置３１は、この準備位置にて、リフターピン２６が上昇してガラス基板１３を持ち上げた状態で、一方の支持アーム３８が印刷定盤１４上に載置された印刷済のガラス基板１３を支持して取り外すことができると共に、他方の支持アーム３９が支持している新たな未印刷のガラス基板１３を印刷定盤１４上に載置することができる。また、ガラス基板搬送装置３１は、排出供給位置にて、印刷定盤１４上から取り外した印刷済のガラス基板１３をガラス基板排出装置３４に排出することができ、ガラス基板供給装置３３から供給された未印刷のガラス基板１３を支持することができる。
【００５０】
制御装置２０は、図１乃至図３に示すように、ブランケット胴１５ａ，１５ｂ，１５ｃ，１５ｄを駆動制御可能であると共に、隣接する塗工装置１６ａ，１６ｂ，１６ｃ，１６ｄを作動制御可能であり、また、版洗浄装置２３を作動制御可能となっている。また、制御装置２０は、版台車１８及び印刷台車１９を駆動制御可能となっている。この場合、制御装置２０は、版台車１８を移動制御することで、版定盤１２をブランケット胴１５ａ，１５ｂ，１５ｃ，１５ｄから離間する待機位置と、版定盤１２をブランケット胴１５ａ，１５ｂ，１５ｃ，１５ｄに対向して樹脂転移動作を実行する樹脂転移位置とに移動可能となっている。また、制御装置２０は、印刷台車１９を移動制御することで、印刷定盤１４をブランケット胴１５ａ，１５ｂ，１５ｃ，１５ｄから離間する待機位置と、印刷定盤１４をブランケット胴１５ａ，１５ｂ，１５ｃ，１５ｄに対向して絵柄転写動作を実行する絵柄転写位置とに移動可能となっている。
【００５１】
また、制御装置２０は、ガラス基板搬送装置３１を作動制御することで、このガラス基板搬送装置３１を印刷基盤１４に対向する準備位置と、ガラス基板供給装置３３及びガラス基板排出装置３４に対向する排出供給位置とに移動することができる。そして、準備位置で印刷済のガラス基板１３と新たなガラス基板１３を交換することができると共に、排出供給位置で印刷済のガラス基板１３をガラス基板排出装置３４に排出し、ガラス基板供給装置３３から新たなガラス基板１３を取り出すことができる。
【００５２】
そして、本実施例にて、制御装置２０は、塗工装置１６ａ，１６ｂ，１６ｃ，１６ｄの非作動時にガラス基板搬送装置３１を作動する第１モードと、塗工装置１６ａ，１６ｂ，１６ｃ，１６ｄの作動時にガラス基板搬送装置３１の作動を制限する第２モードとに切換可能である。また、制御装置２０は、塗工装置１６ａ，１６ｂ，１６ｃ，１６ｄの非作動時に空気清浄装置１００を作動する第１モードと、塗工装置１６ａ，１６ｂ，１６ｃ，１６ｄの作動時に空気清浄装置１００の作動を制限する第２モードとに切換可能である。
【００５３】
即ち、制御装置２０は、印刷台車１９により印刷定盤１４とブランケット胴１５ａ，１５ｂ，１５ｃ，１５ｄとを接近離反させてブランケット胴１５ａ，１５ｂ，１５ｃ，１５ｄからガラス基板１３への絵柄転写工程の完了後、塗工装置１６ａ，１６ｂ，１６ｃ，１６ｄによる次の印刷液塗工工程を実行する間、第２モードとして、ガラス基板搬送装置３１によるガラス基板交換工程を実行せずに、このガラス基板搬送装置３１を待機状態とする。
【００５４】
具体的に説明すると、制御装置２０は、塗工装置１６ａ，１６ｂ，１６ｃ，１６ｄによるブランケット胴１５ａ，１５ｂ，１５ｃ，１５ｄへの樹脂塗工工程と、版台車１８により版定盤１２ａ，１２ｂ，１２ｃ，１２ｄをブランケット胴１５ａ，１５ｂ，１５ｃ，１５ｄに接近離反させてブランケット胴１５ａ，１５ｂ，１５ｃ，１５ｄから版１１ａ，１１ｂ，１１ｃ，１１ｄへの樹脂転移工程と、印刷台車１９により印刷定盤１４をブランケット胴１５ａ，１５ｂ，１５ｃ，１５ｄに接近離反させてブランケット胴１５ａ，１５ｂ，１５ｃ，１５ｄからガラス基板１３への絵柄転写工程と、ガラス基板搬送装置３１によるガラス基板交換工程とが順に実行されるように制御可能である。このとき、制御装置２０は、絵柄転写工程の完了後、次の樹脂塗工工程を実行する間、ガラス基板搬送装置３１を待機状態とし、樹脂塗工工程の完了後にガラス基板交換工程を実行する。
【００５５】
また、本実施例にて、ガラス基板搬送装置３１は、印刷定盤１４に載置されて絵柄転写工程が完了したガラス基板１３と新たな未印刷のガラス基板１３とを交換するガラス基板交換工程と、絵柄転写工程が完了したガラス基板１３をガラス基板排出装置３４に搬送するガラス基板排出工程と、ガラス基板供給装置３３から新たなガラス基板１５を保持してガラス基板交換工程を実行可能な準備位置に待機する被印刷物準備工程を実行可能である。そして、制御装置２０は、樹脂塗工工程の完了後にガラス基板交換工程とガラス基板排出工程とガラス基板準備工程を順次実行すると共に、樹脂転移工程と絵柄転写工程を順次実行し、次の塗工工程の実行前にガラス基板準備工程を完了させる。
【００５６】
また、制御装置２０は、絵柄転写工程の完了後、次の樹脂塗工工程を実行する間、空気清浄装置１００における送風ファン１１５，１１６，１１７におけるモータの回転数を低下させ、樹脂塗工工程の完了後に送風ファン１１５，１１６，１１７におけるモータの回転数を上昇して元に戻している。この場合、送風ファン１１５，１１６，１１７におけるモータの固有振動数が、塗工装置１６ａ，１６ｂ，１６ｃ，１６ｄの固有振動数からずれるように回転数を調整する。
【００５７】
なお、上述した説明にて、制御装置２０は、絵柄転写工程の完了後、次の樹脂塗工工程を実行する間、ガラス基板搬送装置３１を待機状態とし、樹脂塗工工程の完了後にガラス基板交換工程を実行するように制御したが、第２モードは、この待機状態に限るものではなく、振動の影響を低下させる作動状態とすればよい。即ち、絵柄転写工程が完了したら、次の樹脂塗工工程を実行中に、ガラス基板搬送装置３１の作動速度を低速状態としてもよい。また、制御装置２０は、絵柄転写工程の完了後、次の樹脂塗工工程を実行する間、空気清浄装置１００における送風ファン１１５，１１６，１１７におけるモータの回転数を低下させるように制御したが、第２モードは、このモータの回転数を低下状態に限るものではなく、振動の影響を低下させる作動状態とすればよい。即ち、絵柄転写工程が完了したら、次の樹脂塗工工程を実行中に、送風ファン１１５，１１６，１１７を待機（停止）状態としてもよい。
【００５８】
ここで、本実施例の印刷システムの印刷装置１０によるガラス基板１３への印刷作業について、図９のタイムチャートを用いて詳細に説明する。
【００５９】
本実施例の印刷システムの印刷装置１０によるガラス基板１３への印刷作業において、図１に示すように、版台車１８の版定盤１２ａ，１２ｂ，１２ｃ，１２ｄ上に版１１ａ，１１ｂ，１１ｃ，１１ｄが載置されると共に、印刷台車１９の印刷定盤１４上にガラス基板１３が載置されている。そして、この版台車１８及び印刷台車１９は、軌道２２の一端部及び他端部の待機位置に位置している。
【００６０】
この状態から、制御装置２０は、まず、塗工装置１６ａ，１６ｂ，１６ｃ，１６ｄを作動制御することで、ブランケット胴１５ａ，１５ｂ，１５ｃ，１５ｄの表面へ所定の均一膜厚となるように樹脂を塗工する。即ち、図９にて、時間Ｔ０〜Ｔ４の間に、塗工ヘッド２５が塗工位置（図４−２に示す位置）に移動し、時間Ｔ４〜Ｔ５の間に、前塗工（プレコート）を行い、時間Ｔ５〜Ｔ１０の間に、実塗工を行う。そして、時間Ｔ１０〜Ｔ１３．５の間に、収容位置に戻り、その後、待機状態となる。
【００６１】
制御装置２０は、次に、図７に示すように、版台車１８を前進させ、待機位置にある版定盤１２ａ，１２ｂ，１２ｃ，１２ｄをブランケット胴１５ａ，１５ｂ，１５ｃ，１５ｄに接近し、互いに上下に対向する樹脂転移位置を通過させる。すると、版定盤１２ａ，１２ｂ，１２ｃ，１２ｄ上の版１１ａ，１１ｂ，１１ｃ，１１ｄとブランケット胴１５ａ，１５ｂ，１５ｃ，１５ｄが接触することで、樹脂転移動作が実行され、ブランケット胴１５ａ，１５ｂ，１５ｃ，１５ｄの表面にある樹脂は、非印刷部のみが版１１ａ，１１ｂ，１１ｃ，１１ｄへ転移され、ブランケット胴１５ａ，１５ｂ，１５ｃ，１５ｄの表面には、絵柄部分としての樹脂が残る。
【００６２】
即ち、図９にて、実塗工（時間Ｔ５〜Ｔ１０）が完了した後、時間Ｔ１１〜Ｔ１４の間に、版台車１８を樹脂転移位置に移動し、時間Ｔ１４〜Ｔ２０．５の間に、版１１ａ，１１ｂ，１１ｃ，１１ｄとブランケット胴１５ａ，１５ｂ，１５ｃ，１５ｄとの間で樹脂転移動作を実行し、時間Ｔ２０．５〜Ｔ２３．５の間に、版台車１８を待機位置に移動する。
【００６３】
このとき、制御装置２０は、図７に示すように、版台車１８の待機位置への移動に同期して、印刷台車１９を前進させ、待機位置にある印刷定盤１４をブランケット胴１５ａ，１５ｂ，１５ｃ，１５ｄに接近し、互いに上下に対向する絵柄転写位置を通過させる。すると、印刷定盤１４上のガラス基板１３とブランケット胴１５ａ，１５ｂ，１５ｃ，１５ｄが接触することで、絵柄転写動作が実行され、ブランケット胴１５ａ，１５ｂ，１５ｃ，１５ｄの表面にある絵柄（樹脂）は、ガラス基板１３へ転写される。
【００６４】
即ち、図９にて、樹脂転移動作が完了する直前の時間Ｔ１９．５に、印刷台車１９の前進を開始し、時間Ｔ２２までに、印刷台車１９を絵柄転写位置に移動し、時間Ｔ２２〜Ｔ３２の間に、絵柄転写動作を実行し、時間Ｔ３２〜Ｔ３５の間に、印刷台車１９を待機位置に移動する。
【００６５】
このとき、待機位置に戻った版台車１８の版定盤１２ａ，１２ｂ，１２ｃ，１２ｄ上に載置されている版１１ａ，１１ｂ，１１ｃ，１１ｄは、版洗浄装置２３により表面に付着している樹脂が除去される。即ち、図８にて、時間Ｔ２３．５〜Ｔ２９の間に、版洗浄装置２３は洗浄準備動作を行い、時間Ｔ２９〜Ｔ３５の間に、版洗浄装置２３により版１１ａ，１１ｂ，１１ｃ，１１ｄの洗浄動作を実行する。
【００６６】
そして、ブランケット胴１５ａ，１５ｂ，１５ｃ，１５ｄからガラス基板１３への絵柄転写工程が完了し、印刷台車１９が待機位置に戻ったら、制御装置２０は、ガラス基板搬送装置３１によるガラス基板交換工程を実行する前に、塗工装置１６ａ，１６ｂ，１６ｃ，１６ｄによるブランケット胴１５ａ，１５ｂ，１５ｃ，１５ｄへの樹脂塗工工程を実行し、ガラス基板搬送装置３１を待機状態とすると共に、空気清浄装置１００における送風ファン１１５，１１６，１１７におけるモータの回転数を低下させる。
【００６７】
即ち、図８にて、樹脂転移動作と絵柄転写動作と版洗浄動作が完了すると、その前、つまり、時間Ｔ３０からＴ３５の間に、塗工ヘッド２５を塗工位置に移動し、前塗工（プレコート）を行う。そして、時間Ｔ３５〜Ｔ４０の間に実塗工を行うと共に、クリーンルーム１０７にて、空気清浄装置１００による換気及び空気清浄を停止（または、制限）する。そして、実塗工が完了した後、時間Ｔ４０〜Ｔ４６の間に、ガラス基板搬送装置３１によりガラス基板交換工程を実行し、時間Ｔ４６〜Ｔ５２．５の間に、ガラス基板搬送装置３１が印刷台車１９から離脱して排出供給位置に移動し、時間Ｔ５２．５〜Ｔ６０．５の間に、印刷済のガラス基板１３をガラス基板排出装置３４に排出すると共にガラス基板供給装置３３から未印刷のガラス基板１３を受取り、時間Ｔ６０．５〜Ｔ６５の間に、印刷台車１９に接近して準備位置に待機する。なお、実塗工が完了する前の時間Ｔ３９で、印刷定盤１４にて、リフターピン２６により印刷隅のガラス基板１３を持ち上げておき、ガラス交換工程が完了した時間Ｔ４６で、リフターピン２６により未印刷のガラス基板１３を降ろす。
【００６８】
このガラス基板搬送装置３１によるガラス交換工程を詳細に説明すると、図１及び図２に示すように、準備位置に待機するガラス基板搬送装置３１は、未印刷のガラス基板１３を支持しており、塗装工程が完了する直前にリフターピン２６が上昇してガラス基板１３を持ち上げ、支持アーム３８により印刷定盤１４上の印刷済のガラス基板１３を取り外すと共に、支持アーム３９により未印刷のガラス基板１３を印刷定盤１４上に載置する。そして、ガラス基板搬送装置３１は、準備位置から排出供給位置まで移動し、ここで、印刷定盤１４上から取り外した印刷済のガラス基板１３をガラス基板排出装置３４に排出し、その後、ガラス基板供給装置３３から供給された未印刷のガラス基板１３を受取り、排出供給位置から準備位置に移動して待機する。
【００６９】
このとき、制御装置２０は、図９にて、次の塗装工程が開始される時間Ｔ６５までに、ガラス基板搬送装置３１により未印刷のガラス基板１３を支持して準備位置まで移動させる。
【００７０】
このように実施例１の印刷システム及び印刷方法にあっては、ブランケット胴１５ａ，１５ｂ，１５ｃ，１５ｄに隣接して塗工装置１６ａ，１６ｂ，１６ｃ，１６ｄを配置し、版１１ａ，１１ｂ，１１ｃ，１１ｄが載置される版定盤１２ａ，１２ｂ，１２ｃ，１２ｄを版台車１８に搭載し、ガラス基盤１３が載置される印刷定盤１４を印刷台車１９に搭載し、印刷定盤１４のガラス基板１３を交換するガラス基板搬送装置３１を設け、版台車１８と印刷台車１９を軌道２２に移動自在に支持すると共に、ブランケット胴１５ａ，１５ｂ，１５ｃ，１５ｄに対して接近離反可能とし、制御装置２０は、ブランケット胴１５ａ，１５ｂ，１５ｃ，１５ｄから印刷定盤１４上のガラス基板１３への絵柄転写工程の完了後、塗工装置１６ａ，１６ｂ，１６ｃ，１６ｄによる次の樹脂塗工工程を実行する間、ガラス基板搬送装置３１によるガラス基板交換工程を実行せずに待機状態に制御している。
【００７１】
従って、塗工装置１６ａ，１６ｂ，１６ｃ，１６ｄによりブランケット胴１５ａ，１５ｂ，１５ｃ，１５ｄに対して次の樹脂を塗工する作業中に、ガラス基板搬送装置３１によりガラス基板１３の交換作業が行われないため、ガラス基板搬送装置３１の振動が塗工装置１６ａ，１６ｂ，１６ｃ，１６ｄやブランケット胴１５ａ，１５ｂ，１５ｃ，１５ｄに伝わることはなく、塗工装置１６ａ，１６ｂ，１６ｃ，１６ｄは、ブランケット胴１５ａ，１５ｂ，１５ｃ，１５ｄの表面に対して均一な膜厚の樹脂を塗工することができ、印刷精度を向上することができる。
【００７２】
また、実施例１の印刷システム及び印刷方法では、制御装置２０は、塗工装置１６ａ，１６ｂ，１６ｃ，１６ｄによるブランケット胴１５ａ，１５ｂ，１５ｃ，１５ｄへの樹脂塗工工程と、版台車１８により版定盤１２ａ，１２ｂ，１２ｃ，１２ｄをブランケット胴１５ａ，１５ｂ，１５ｃ，１５ｄに接近離反させてブランケット胴１５ａ，１５ｂ，１５ｃ，１５ｄから版１１ａ，１１ｂ，１１ｃ，１１ｄへの樹脂転移工程と、印刷台車１９により印刷定盤１４をブランケット胴１５ａ，１５ｂ，１５ｃ，１５ｄに接近離反させてブランケット胴１５ａ，１５ｂ，１５ｃ，１５ｄからガラス基板１３への絵柄転写工程と、ガラス基板搬送装置３１によるガラス基板交換工程とを順に実行するように制御可能であり、絵柄転写工程の完了後、次の樹脂塗工工程を実行する間、ガラス基板搬送装置３１を待機状態とし、樹脂塗工工程の完了後にガラス基板交換工程を実行する。
【００７３】
従って、次の樹脂塗工工程を実行するまでガラス基板搬送装置３１を待機状態とするため、ガラス基板交換作業の振動が塗工装置１６ａ，１６ｂ，１６ｃ，１６ｄやブランケット胴１５ａ，１５ｂ，１５ｃ，１５ｄに伝わることはなく、ブランケット胴１５ａ，１５ｂ，１５ｃ，１５ｄの表面に均一な膜厚の印刷液を塗工することができ、この樹脂塗工工程の完了後にガラス基板交換工程を実行するため、作業効率を向上することができる。
【００７４】
また、実施例１の印刷システム及び印刷方法では、ガラス基板搬送装置３１は、印刷定盤１４に載置されて絵柄転写工程が完了したガラス基板１３と新たな未印刷のガラス基板１３とを交換するガラス基板交換工程と、絵柄転写工程が完了したガラス基板１３を所定の排出位置に搬送するガラス基板排出工程と、新たなガラス基板１３を保持してガラス基板交換工程を実行可能な準備位置に待機するガラス基板準備工程とを実行可能であり、制御装置２０は、樹脂塗工工程の完了後にガラス基板交換工程とガラス基板排出工程とガラス基板準備工程を順次実行すると共に、樹脂転移工程と絵柄転写工程を順次実行し、次の塗工工程の実行前にガラス基板準備工程を完了させる。
【００７５】
従って、ガラス基板交換工程、ガラス基板排出工程、ガラス基板準備工程と、樹脂転移工程、絵柄転写工程を同期して実行すると共に、次の塗工工程の実行前にガラス基板準備工程を完了させるため、作業時間を短縮して作業効率を向上することができる。
【００７６】
また、実施例１の印刷システム及び印刷方法では、制御装置２０は、版台車１８を、版定盤１２ａ，１２ｂ，１２ｃ，１２ｄがブランケット胴１５ａ，１５ｂ，１５ｃ，１５ｄから離間した待機位置と版定盤１２ａ，１２ｂ，１２ｃ，１２ｄがブランケット胴１５ａ，１５ｂ，１５ｃ，１５ｄに対向して樹脂転移工程を実行する印刷液転移位置とに移動可能とすると共に、印刷台車１８を印刷定盤１４がブランケット胴１５ａ，１５ｂ，１５ｃ，１５ｄから離間した待機位置と印刷定盤１４がブランケット胴１５ａ，１５ｂ，１５ｃ，１５ｄに対向して絵柄転写工程を実行する絵柄転写位置とに移動可能としている。
【００７７】
従って、ブランケット胴１５ａ，１５ｂ，１５ｃ，１５ｄに対して版定盤１２ａ，１２ｂ，１２ｃ，１２ｄと印刷定盤１４を接近離反自在とすることで、樹脂転移工程と絵柄転写工程を簡単な構成で容易に実行することができ、装置の簡素化及び印刷作業効率の向上を可能とすることができる。
【００７８】
また、実施例１の印刷システム及び印刷方法にあっては、制御装置２０は、ブランケット胴１５ａ，１５ｂ，１５ｃ，１５ｄから印刷定盤１４上のガラス基板１３への絵柄転写工程の完了後、塗工装置１６ａ，１６ｂ，１６ｃ，１６ｄによる次の樹脂塗工工程を実行する間、空気清浄装置１０によるクリーンルームの換気及び清浄を制限している。
【００７９】
従って、塗工装置１６ａ，１６ｂ，１６ｃ，１６ｄによりブランケット胴１５ａ，１５ｂ，１５ｃ，１５ｄに対して次の樹脂を塗工する作業中に、空気清浄装置１０によるクリーンルームの換気及び清浄が制限、つまり、送風ファン１１５，１１６，１１７におけるモータ回転数を低下（または、停止）させるため、送風ファン１１５，１１６，１１７の振動が塗工装置１６ａ，１６ｂ，１６ｃ，１６ｄやブランケット胴１５ａ，１５ｂ，１５ｃ，１５ｄに伝わることはなく、塗工装置１６ａ，１６ｂ，１６ｃ，１６ｄは、ブランケット胴１５ａ，１５ｂ，１５ｃ，１５ｄの表面に対して均一な膜厚の樹脂を塗工することができ、印刷精度を向上することができる。
【実施例２】
【００８０】
図１０は、本発明の実施例２に係る印刷システムにおける印刷作業を表すタイムチャートである。なお、本実施例の印刷装置における全体構成は、上述した実施例１とほぼ同様であり、図１乃至図３を用いて説明すると共に、この実施例で説明したものと同様の機能を有する部材には同一の符号を付して重複する説明は省略する。
【００８１】
実施例２の印刷装置にて、図１乃至図３に示すように、制御装置２０は、印刷台車１９により印刷定盤１４をブランケット胴１５ａ，１５ｂ，１５ｃ，１５ｄに接近離反させてブランケット胴１５ａ，１５ｂ，１５ｃ，１５ｄからガラス基板１３への絵柄転写工程の完了後、塗工装置１６ａ，１６ｂ，１６ｃ，１６ｄによる次の印刷液塗工工程を実行する間、ガラス基板搬送装置３１によるガラス基板交換工程を実行せずに、このガラス基板搬送装置３１を待機状態とする。また、制御装置２０は、この絵柄転写工程の完了後、次の樹脂塗工工程を実行する間、空気清浄装置１００における送風ファン１１５，１１６，１１７におけるモータの回転数を低下させる。
【００８２】
更に、制御装置２０は、樹脂転移工程の完了後に版洗浄装置２３による樹脂洗浄工程を実行し、絵柄転写工程の完了後、塗工装置１６ａ，１６ｂ，１６ｃ，１６ｄによる次の印刷液塗工工程を実行するとき、樹脂洗浄工程を継続する。
【００８３】
ここで、本実施例の印刷システムの印刷装置１０によるガラス基板１３への印刷作業について、図９のタイムチャートを用いて詳細に説明する。
【００８４】
本実施例の印刷システムの印刷装置１０によるガラス基板１３への印刷作業において、制御装置２０は、まず、図１０にて、時間Ｔ０〜Ｔ４の間に、塗工ヘッド２５が塗工位置に移動し、時間Ｔ４〜Ｔ５の間に、前塗工（プレコート）を行い、時間Ｔ５〜Ｔ１０の間に、実塗工を行う。そして、時間Ｔ１０〜Ｔ１３．５の間に、収容位置に戻り、その後、待機状態となる。
【００８５】
制御装置２０は、次に、実塗工（時間Ｔ５〜Ｔ１０）が完了した後、時間Ｔ１１〜Ｔ１４の間に、版台車１８を樹脂転移位置に移動し、時間Ｔ１４〜Ｔ２０．５の間に、版１１ａ，１１ｂ，１１ｃ，１１ｄとブランケット胴１５ａ，１５ｂ，１５ｃ，１５ｄとの間で樹脂転移動作を実行し、時間Ｔ２０．５〜Ｔ２３．５の間に、版台車１８を待機位置に移動する。
【００８６】
このとき、制御装置２０は、樹脂転移動作が完了する直前の時間Ｔ１９．５に、印刷台車１９の前進を開始し、時間Ｔ２２までに、印刷台車１９を絵柄転写位置に移動し、時間Ｔ２２〜Ｔ３２の間に、絵柄転写動作を実行し、時間Ｔ３２〜Ｔ３５の間に、印刷台車１９を待機位置に移動する。
【００８７】
そして、時間Ｔ２３．５〜Ｔ２９の間に、版洗浄装置２３は洗浄準備動作を行い、時間Ｔ２９〜Ｔ３８の間に、版洗浄装置２３により版１１ａ，１１ｂ，１１ｃ，１１ｄの洗浄動作を実行する。
【００８８】
制御装置２０は、続いて、樹脂転移動作と絵柄転写動作が完了すると、その前、つまり、時間Ｔ３０からＴ３５の間に、塗工ヘッド２５を塗工位置に移動し、前塗工（プレコート）を行い、時間Ｔ３５〜Ｔ４０の間に実塗工を行うと共に、クリーンルーム１０７にて、空気清浄装置１００による換気及び空気清浄を停止（または、制限）する。この場合、塗工ヘッド２５により実塗工が開始されても、版洗浄装置２３による版１１ａ，１１ｂ，１１ｃ，１１ｄの洗浄作業を継続して実行する。
【００８９】
そして、実塗工が完了した後、時間Ｔ４０〜Ｔ４６の間に、ガラス基板搬送装置３１によりガラス基板交換工程を実行し、時間Ｔ４６〜Ｔ５２．５の間に、ガラス基板搬送装置３１が印刷台車１９から離脱して排出供給位置に移動し、時間Ｔ５２．５〜Ｔ６０．５の間に、印刷済のガラス基板１３をガラス基板排出装置３４に排出すると共にガラス基板供給装置３３から未印刷のガラス基板１３を受取り、時間Ｔ６０．５〜Ｔ６５の間に、印刷台車１９に接近して準備位置に待機する。
【００９０】
このように実施例２の印刷システム及び印刷方法にあっては、制御装置２０は、ブランケット胴１５ａ，１５ｂ，１５ｃ，１５ｄから印刷定盤１４上のガラス基板１３への絵柄転写工程の完了後、塗工装置１６ａ，１６ｂ，１６ｃ，１６ｄによる次の樹脂塗工工程を実行する間、ガラス基板搬送装置３１によるガラス基板交換工程を実行せずに待機状態に制御している。従って、塗工装置１６ａ，１６ｂ，１６ｃ，１６ｄによりブランケット胴１５ａ，１５ｂ，１５ｃ，１５ｄに対して次の樹脂を塗工する作業中に、ガラス基板搬送装置３１によりガラス基板１３の交換作業が行われないため、ガラス基板搬送装置３１の振動が塗工装置１６ａ，１６ｂ，１６ｃ，１６ｄやブランケット胴１５ａ，１５ｂ，１５ｃ，１５ｄに伝わることはなく、塗工装置１６ａ，１６ｂ，１６ｃ，１６ｄは、ブランケット胴１５ａ，１５ｂ，１５ｃ，１５ｄの表面に対して均一な膜厚の樹脂を塗工することができ、印刷精度を向上することができる。
【００９１】
また、実施例２の印刷システム及び印刷方法では、ブランケット胴１５ａ，１５ｂ，１５ｃ，１５ｄから版１１ａ，１１ｂ，１１ｃ，１１ｄに転移された樹脂を洗浄する版洗浄装置２３を設け、制御装置２０は、樹脂転移工程の完了後に版洗浄装置２３による樹脂洗浄工程を実行し、絵柄転写工程の完了後、塗工装置１６ａ，１６ｂ，１６ｃ，１６ｄによる次の樹脂塗工工程を実行するとき、樹脂洗浄工程を継続する。
【００９２】
従って、版洗浄装置２３によりブランケット胴１５ａ，１５ｂ，１５ｃ，１５ｄから版１１ａ，１１ｂ，１１ｃ，１１ｄに転移された樹脂を洗浄する時間が長くなり、洗浄効果が向上してブランケット胴１５ａ，１５ｂ，１５ｃ，１５ｄの表面により均一な膜厚の樹脂を塗工することができ、また、樹脂塗工工程と樹脂洗浄工程を同時期に実行することで印刷作業時間を短縮することができる。
【００９３】
また、実施例２の印刷システム及び印刷方法にあっては、制御装置２０は、ブランケット胴１５ａ，１５ｂ，１５ｃ，１５ｄから印刷定盤１４上のガラス基板１３への絵柄転写工程の完了後、塗工装置１６ａ，１６ｂ，１６ｃ，１６ｄによる次の樹脂塗工工程を実行する間、空気清浄装置１０によるクリーンルームの換気及び清浄を制限している。従って、送風ファン１１５，１１６，１１７の振動が塗工装置１６ａ，１６ｂ，１６ｃ，１６ｄやブランケット胴１５ａ，１５ｂ，１５ｃ，１５ｄに伝わることはなく、塗工装置１６ａ，１６ｂ，１６ｃ，１６ｄは、ブランケット胴１５ａ，１５ｂ，１５ｃ，１５ｄの表面に対して均一な膜厚の樹脂を塗工することができ、印刷精度を向上することができる。
【実施例３】
【００９４】
図１１は、本発明の実施例３に係る印刷システムを表す概略構成図、図１２は、実施例３の印刷システムを表す平面図である。なお、前述した実施例で説明したものと同様の機能を有する部材には同一の符号を付して重複する説明は省略する。
【００９５】
実施例３の印刷システムにおいて、印刷装置１０におけるブランケット胴１５ａ，１５ｂ，１５ｃ，１５ｄ及び塗工装置１６ａ，１６ｂ，１６ｃ，１６ｄの近傍には、振動を検出する振動センサ（加速度センサ）４１が設けられており、検出結果を制御装置２０に出力している。そして、この制御装置２０は、振動センサ４１が検出した振動（加速度）が予め設定された基準値より大きいと判定したとき、現在、塗工装置１６ａ，１６ｂ，１６ｃ，１６ｄによりブランケット胴１５ａ，１５ｂ，１５ｃ，１５ｄの表面に所定の樹脂を塗工する作業が不良であると判定する。
【００９６】
また、ガラス基板搬送装置３１は、軌道３２に沿って自走可能であり、この軌道３２の長手方向の一端側に印刷定盤１４（印刷台車１９）の待機位置が設定されている。そして、この軌道３２の長手方向の他端側にガラス基板供給装置３３が配置されると共に、ガラス基板排出装置３４と不良ガラス基板排出装置４１が配置されている。
【００９７】
従って、ガラス基板搬送装置３１は、準備位置にて、リフターピン２６が上昇してガラス基板１３を持ち上げた状態で、一方の支持アーム３８が印刷定盤１４上に載置された印刷済のガラス基板１３を支持して取り外すと共に、他方の支持アーム３９が支持している新たな未印刷のガラス基板１３を印刷定盤１４上に載置する。そして、ガラス基板搬送装置３１は、排出供給位置にて、印刷定盤１４上から取り外した印刷済のガラス基板１３をガラス基板排出装置３４に排出すると共に、ガラス基板供給装置３３から供給された未印刷のガラス基板１３を支持する。
【００９８】
この場合、制御装置２０は、塗工装置１６ａ，１６ｂ，１６ｃ，１６ｄによりブランケット胴１５ａ，１５ｂ，１５ｃ，１５ｄの表面に所定の樹脂を塗工しているとき、振動センサ４１が検出した振動が予め設定された基準値より大きいと判定すると、現在、塗工しているブランケット胴１５ａ，１５ｂ，１５ｃ，１５ｄの樹脂は不良であると判定する。そして、制御装置２０は、この不良と判定されたブランケット胴１５ａ，１５ｂ，１５ｃ，１５ｄの樹脂を用いて絵柄（樹脂）が転写されたガラス基板１３は、不良品であることから、ガラス基板搬送装置３１は、排出供給位置にて、印刷定盤１４上から取り外した印刷済である不良のガラス基板１３を不良ガラス基板排出装置４１に排出する。
【００９９】
このように実施例３の印刷システム及び印刷方法にあっては、印刷装置１０におけるブランケット胴１５ａ，１５ｂ，１５ｃ，１５ｄ及び塗工装置１６ａ，１６ｂ，１６ｃ，１６ｄの近傍に、振動を検出する振動センサ４１が設け、検出結果を制御装置２０に出力する一方、ガラス基板搬送装置３１が自走する軌道３２の他端側に、ガラス基板排出装置３４と不良ガラス基板排出装置４１を配置し、この制御装置２０は、振動センサ４１が検出した振動が基準値より大きいと判定したとき、現在、塗工装置１６ａ，１６ｂ，１６ｃ，１６ｄによりブランケット胴１５ａ，１５ｂ，１５ｃ，１５ｄの表面に所定の樹脂を塗工する作業が不良であると判定し、ガラス基板搬送装置３１は、不良の絵柄（樹脂）が転写されたガラス基板１３を不良ガラス基板排出装置４１に排出している。
【０１００】
従って、塗工装置１６ａ，１６ｂ，１６ｃ，１６ｄによりブランケット胴１５ａ，１５ｂ，１５ｃ，１５ｄの表面に所定の樹脂を塗工しているとき、何らかの原因により振動が発生した場合、制御装置２０は、振動によって発生した不良品のガラス基板１３を不良ガラス基板排出装置４１に排出することができ、不良品の混入を抑制して全体としての印刷精度を向上することができる。
【０１０１】
なお、上述の実施例では、ブランケット胴１５ａ，１５ｂ，１５ｃ，１５ｄを固定し、版定盤１２ａ，１２ｂ，１２ｃ，１２ｄ及び印刷定盤１４を軌道２２に沿って移動自在に構成したが、版定盤１２ａ，１２ｂ，１２ｃ，１２ｄ及び印刷定盤１４を固定し、ブランケット胴１５ａ，１５ｂ，１５ｃ，１５ｄを軌道２２に沿って移動自在に構成してもよい。
【産業上の利用可能性】
【０１０２】
以上のように、本発明に係る印刷システム及び方法は、ブランケット胴への印刷液の塗装工程を高精度に行うことで、印刷精度を向上すると共に作業効率の向上を図るものであり、精密印刷に係る印刷装置及び方法に有用である。
【図面の簡単な説明】
【０１０３】
【図１】本発明の実施例１に係る印刷システムを表す概略構成図である。
【図２】実施例１の印刷システムを表す平面図である。
【図３】実施例１の印刷装置が収容されたクリーンルームを表す概略図である。
【図４−１】実施例１の印刷装置における塗工装置を表す概略図である。
【図４−２】実施例１の印刷装置における塗工装置を表す概略図である。
【図５−１】実施例１の印刷装置における印刷定盤を表す概略図である。
【図５−２】実施例１の印刷装置における印刷定盤を表す概略図である。
【図６】実施例１の印刷システムにおけるガラス基板交換装置を表す概略図である。
【図７】実施例１の印刷システムにおける版転写作業を表す概略図である。
【図８】実施例１の印刷システムにおける印刷作業を表す概略図である。
【図９】実施例１の印刷システムにおける印刷作業を表すタイムチャートである。
【図１０】本発明の実施例２に係る印刷システムにおける印刷作業を表すタイムチャートである。
【図１１】本発明の実施例３に係る印刷システムを表す概略構成図である。
【図１２】実施例３の印刷システムを表す平面図である。
【符号の説明】
【０１０４】
１０  印刷装置
１１ａ，１１ｂ，１１ｃ，１１ｄ  版
１２ａ，１２ｂ，１２ｃ，１２ｄ  版定盤
１３  ガラス基板（被印刷物）
１４  印刷定盤
１５ａ，１５ｂ，１５ｃ，１５ｄ  ブランケット胴
１６ａ，１６ｂ，１６ｃ，１６ｄ  塗工装置
１８  版台車（移動手段）
１９  印刷台車（移動手段）
２０  制御装置（制御手段）
２２  軌道
２３  版洗浄装置
３１  ガラス基板搬送装置
３３  ガラス基板供給装置
３４  ガラス基板排出装置
１０７  クリーンルーム
１００  空気清浄装置
１１２  空調装置
１１５，１１６，１１７  送風ファン
【図１】
2009083418.tif 000003
【図２】
2009083418.tif 000004
【図３】
2009083418.tif 000005
【図４−１】
2009083418.tif 000006
【図４−２】
2009083418.tif 000007
【図５−１】
2009083418.tif 000008
【図５−２】
2009083418.tif 000009
【図６】
2009083418.tif 000010
【図７】
2009083418.tif 000011
【図８】
2009083418.tif 000012
【図９】
2009083418.tif 000013
【図１０】
2009083418.tif 000014
【図１１】
2009083418.tif 000015
【図１２】
2009083418.tif 000016